(57)【要約】【課題】３価のアルミニウムイオン及び第二鉄イオンに対して高く、かつ、選択的な錯形成能を有し、高い測定感度が得られるアルミニウムイオン及び／又は第二鉄イオン測定用蛍光プローブを提供すること。【解決手段】下記一般式［Ｉ］【化１】2004101389.tif 000035（但し、式中、Ｚは−Ｓ−、−Ｏ−、−ＮＨ−又は−ＣＨ２−を表し、Ｑは式中の窒素原子及びＺと共に環式構造を形成する原子団、Ａは式中の炭素原子１及び２と共に環式構造を形成する原子団、Ｘは蛍光性原子団であって、Ａを含む環と縮合環を形成していてもよい）で表される構造を有するアルミニウムイオン及び／又は第二鉄イオン測定用蛍光プローブを提供した。【選択図】　図２
2004101389.tif 000002
【特許請求の範囲】
【請求項１】
下記一般式［Ｉ］
【化１】
2004101389.tif 000027
（但し、式中、Ｚは−Ｓ−、−Ｏ−、−ＮＨ−又は−ＣＨ２−を表し、Ｑは式中の窒素原子及びＺと共に環式構造を形成する原子団、Ａは式中の炭素原子１及び２と共に環式構造を形成する原子団、Ｘは蛍光性原子団であって、Ａを含む環と縮合環を形成していてもよい）
で表される構造を有するアルミニウムイオン及び／又は第二鉄イオン測定用蛍光プローブ。
【請求項２】
前記一般式［Ｉ］が、下記一般式［ＩＩ］
【化２】
2004101389.tif 000028
（但し、式中、Ｚ、Ａ及びＸは式［Ｉ］と同義、Ｒ１及びＲ２は、互いに独立して水素原子、炭素数１〜６のアルキル基、炭素数１〜６のアルコキシル基、アミノ基、水酸基、カルボキシル基、ホルミル基、チオール基、ハロゲン、又はニトロ基を示す）
で表される請求項１記載の蛍光プローブ。
【請求項３】
一般式［ＩＩ］中、Ｒ１及びＲ２が水素原子、Ｚがイオウ原子又は酸素原子である請求項２記載の蛍光プローブ。
【請求項４】
一般式［Ｉ］又は［ＩＩ］中の、式［ＩＩＩ］
【化３】
2004101389.tif 000029
で表される基が、式［ＩＶ］
【化４】
2004101389.tif 000030
（但し、式中、Ｙは、−Ｏ−、−ＣＨ２−又は−ＮＨ−、Ｙ’は−ＣＨ＝又は−Ｎ＝、Ｘ’は蛍光性原子団であって、式中の炭素原子３及び４と共に縮合環を形成していてもよく、式［ＩＶ］中の環構造を構成する任意の１又は２以上の炭素原子に結合している各水素原子は、炭素数１〜６のアルキル基、炭素数１〜６のアルコキシル基、アミノ基、ハロゲン、又はニトロ基で置換されていてもよい）
で表される構造を有する請求項１ないし３のいずれか１項に記載の蛍光プローブ。
【請求項５】
式［ＩＶ］中のＹ’は−ＣＨ＝である請求項４記載の蛍光プローブ。
【請求項６】
式［ＩＶ］中のＹは−Ｏ−である請求項５記載の蛍光プローブ。
【請求項７】
上記式［ＩＶ］で表される基が、式［Ｖ］
【化５】
2004101389.tif 000031
（但し、式中、Ｘ’’は蛍光性原子団であって、式中に示されるベンゼン環と縮合する環であってもよく、式［Ｖ］中の環構造を構成する任意の１又は２以上の炭素原子に結合している各水素原子は、炭素数１〜６のアルキル基、炭素数１〜６のアルコキシル基、アミノ基、各アルキル基の炭素数１〜６のモノ−又はジアルキルアミノ、ハロゲン、又はニトロ基で置換されていてもよい）
で表される構造を有する請求項６記載の蛍光プローブ。
【請求項８】
上記式［ＩＶ］で表される基が、上記式［Ｖ］（但し、式中、Ｘ’’は蛍光性原子団であって、式中に示されるベンゼン環と縮合する環であってもよい）で表される構造を有する請求項７記載の蛍光プローブ。
【請求項９】
上記式［Ｖ］で表される基が、下記式［ＶＩ］又は［ＶＩＩ］
【化６】
2004101389.tif 000032
【化７】
2004101389.tif 000033
（但し、式［ＶＩ］及び式［ＶＩＩ］中、Ｒ３、Ｒ４、Ｒ５及びＲ６は、互いに独立に水素原子、炭素数１〜５のアルキル基又はハロゲンを示す）
で表される請求項７記載の蛍光プローブ。
【請求項１０】
上記式［Ｖ］で表される基が、上記式［ＶＩ］（但し、Ｒ３、Ｒ４、Ｒ５及びＲ６は、互いに独立に水素原子、炭素数１〜５のアルキル基又はハロゲンを示す）で表される請求項９記載の蛍光プローブ。
【請求項１１】
上記式［ＶＩ］中のＲ３、Ｒ４、Ｒ５及びＲ６が水素原子である請求項１０記載の蛍光プローブ。
【請求項１２】
下記式［ＸＶＩ］
【化８】
2004101389.tif 000034
で表される構造を有する請求項１１記載の蛍光プローブ。
【発明の詳細な説明】
【０００１】
【発明の属する技術分野】
本発明は、アルミニウムイオン及び／又は第二鉄イオン測定用プローブに関する。
【０００２】
【従来の技術】
金属イオンを定量する方法として、物質が光を吸収する過程及び発光する過程を利用して検体中の目的試料を定量する方法が、分光学の進歩と共に近年飛躍的に進歩している。中でも、蛍光光度法は、前処理が簡単でありリアルタイム測定が可能であること、高感度、高精度であること、及び蛍光顕微鏡、共焦点レーザー走査蛍光顕微鏡を初めとした測定機器の飛躍的な進歩もあり、生体内の金属イオンの動的挙動を追跡できる手法の一つとして、現在広く汎用されている。
【０００３】
アルミニウムイオンや第２鉄イオンを測定するための蛍光プローブとしては、次の化学構造を有するルモガリオン（ｌｕｍｏｇａｌｌｉｏｎ）が知られている（（株）同仁化学研究所より市販）。
【０００４】
【化９】
2004101389.tif 000003
【０００５】
また、４−ブロモ−２−（４，５−ジヒドロ−１，３−チアゾール−２−イル）フェノール（以下、本明細書において「ＫＡＬ−１」と言う）もアルミニウムイオン測定用の蛍光プローブとして知られている（Ｎｅｗ　Ｊ．　Ｃｈｅｍ．，　２０００，　２４，　５４１−５４６）。
【０００６】
【発明が解決しようとする課題】
しかしながら、ルモガリオンは、銅イオンのような２価のイオンにも結合し、また、相対蛍光強度が低く、測定感度が満足できない。また、ＫＡＬ−１も、アルミニウムイオンとの錯形成能が低く、また蛍光量子収率、モル吸光係数が低いので、測定感度が満足できない。さらに、励起波長が近紫外領域にあるため、細胞等の生体の内部のイオン挙動を調べようとする場合には励起光によって試料がダメージを受ける恐れがある。
【０００７】
従って、本発明の目的は、３価のアルミニウムイオン及び第二鉄イオンに対して高く、かつ、選択的な錯形成能を有し、高い測定感度が得られるアルミニウムイオン及び／又は第二鉄イオン測定用蛍光プローブを提供することである。さらに、本発明の目的は、励起波長が公知のＫＡＬ−１よりも長波長側にあり、励起光によって試料を損傷することがないアルミニウムイオン及び／又は第二鉄イオン測定用プローブを提供することである。
【０００８】
【課題を解決するための手段】
本願発明者らは、鋭意研究の結果、環式構造上のβ−ケトチアゾールが水系中のアルミニウムイオン（Ａｌ３＋）及び第２鉄イオン（Ｆｅ３＋）と選択的に強く錯体を形成することを見出し、該構造を有する蛍光性分子がマグネシウムイオンに対して選択的な蛍光プローブとして用いることができることを実験的に確認し、本願発明を完成した。
【０００９】
すなわち、本発明は、下記一般式［Ｉ］
【化１０】
2004101389.tif 000004
（但し、式中、Ｚは−Ｓ−、−Ｏ−、−ＮＨ−又は−ＣＨ２−を表し、Ｑは式中の窒素原子及びＺと共に環式構造を形成する原子団、Ａは式中の炭素原子１及び２と共に環式構造を形成する原子団、Ｘは蛍光性原子団であって、Ａを含む環と縮合環を形成していてもよい）
で表される構造を有するアルミニウムイオン及び／又は第二鉄イオン測定用蛍光プローブを提供する。
【００１０】
【発明の実施の形態】
本発明は、上記一般式［Ｉ］で示される化合物中の、Ａを含む環式構造の炭素１とカルボニル基を構成する酸素原子と、該環式構造の炭素２に結合している含窒素複素環中のＮ又はＺとの間で、アルミニウムイオン及び第２鉄イオンが選択的に安定な錯体を形成するという、新知見に基づくものである。従って、分子中にＡを含む環式構造の炭素１とカルボニル基を構成する酸素原子と、該環式構造の炭素２に結合している、Ｎ及びＺを含む複素環とを含む構造（以下、本明細書においてこの構造を便宜的に「キレート化構造」ということがある）が存在すれば、該構造によって水系中のアルミニウムイオン及び第二鉄イオンが選択的にキレート化されるので、該分子が蛍光性を有する場合には、アルミニウムイオン及び／又は第二鉄イオン選択的プローブとして用いることができる。従って、分子中に上記キレート化構造と、任意の蛍光性原子団とを含む分子はいずれも選択的アルミニウムイオン及び／又は第二鉄イオン測定用プローブとして利用可能であり、本発明の範囲内に含まれる。すなわち、本発明の蛍光プローブは、上記一般式［Ｉ］で表される。
【００１１】
なお、一般に、蛍光性原子団が発する蛍光は、分子が金属と錯体形成することにより変化（増大又は減少）するので、この変化に基づきアルミニウムイオン及び／又は第二鉄イオンを測定することができる。なお、本明細書において、「測定」とは定量と検出の両者を包含する。
【００１２】
プローブが一般式［Ｉ］に示される構造を有する場合、キレート化構造が、Ａを含む環式構造により堅固に支持されており、また、Ｎ及びＺも複素環中に堅固に支持されているので、より的確に、強力にアルミニウムイオン及び第二鉄イオンをキレート化することができる。この堅固なキレート化能は、極めて低濃度のアルミニウムイオン及び第二鉄イオンでもキレート化できるという効果をもたらすのみならず、測定時の蛍光強度の増大にも寄与する。
【００１３】
上記一般式［Ｉ］で示される化合物の中でも、Ｎを含む複素環が５員環である下記一般式［ＩＩ］で示されるものが、錯体形成能の点から好ましい。
【００１４】
【化１１】
2004101389.tif 000005
（但し、式中、Ｚ、Ａ及びＸは、式［Ｉ］と同義、Ｒ１及びＲ２は、互いに独立して水素原子、炭素数１〜６のアルキル基、炭素数１〜６のアルコキシル基、アミノ基、水酸基、カルボキシル基、ホルミル基、チオール基、ハロゲン、又はニトロ基を示す。）
【００１５】
なお、本明細書において、「アルキル基」は、特に断りがない限り、直鎖状アルキル基及び分枝状アルキル基の両者を包含する。また、本明細書において、「ハロゲン」としては、フッ素、塩素、臭素及びヨウ素が好ましい。
【００１６】
一般式［ＩＩ］で表される化合物の中でも、とりわけ、Ｒ１及びＲ２が水素原子、Ｚがイオウ原子又は酸素原子であるものが好ましい。
【００１７】
Ａを含む環式構造は、上記キレート化構造を環式構造上に支持するものであればいかなる環式構造であってもよいので、環式構造自体は何ら限定されない。通常、５員環〜７員環であり、ベンゼン環のような芳香環であってもよく、二重結合を含むことがあるシクロアルキルのような構造でもよく、複素環であってもよい。
【００１８】
また、一般式［Ｉ］中のＸで示される蛍光原子団は、任意の蛍光原子団であってよい。金属イオン測定用の蛍光プローブ自体は、種々のものが公知であり、このような蛍光プローブに用いられている蛍光性原子団はいずれも本発明において採用することができる。このような蛍光性原子団の例として、ローダミン、フルオレセイン、ナフタレン、アントラセン、ピレン、クマリン、キノリン、スチルベン、ベンゾチオゾール、ピラゾリン等を挙げることができるが、本発明において採用される蛍光性原子団はこれらに限定されるものではない。
【００１９】
一般式［Ｉ］又は［ＩＩ］中の、式［ＩＩＩ］
【化１２】
2004101389.tif 000006
で表される基が、式［ＩＶ］
【化１３】
2004101389.tif 000007
（但し、式中、Ｙは、−Ｏ−、−ＣＨ２−又は−ＮＨ−、Ｙ’は−ＣＨ＝又は−Ｎ＝、Ｘ’は蛍光性原子団であって、式中の炭素原子３及び４と共に縮合環を形成していてもよく、式［ＩＶ］中の環構造を構成する任意の１又は２以上の炭素原子に結合している各水素原子は、炭素数１〜６のアルキル基、炭素数１〜６のアルコキシル基、アミノ基、ハロゲン、又はニトロ基で置換されていてもよい）
で表される構造を有するものが好ましい。
【００２０】
一般式［ＩＶ］中、Ｙ’は−ＣＨ＝であることが好ましい。また、Ｙは−Ｏ−であることが好ましい。また、環を構成する炭素原子に結合している各水素原子は、上記の通り置換されていてもよい。もっとも、このような置換基は特に必要なものではないので、置換されていない構造が単純で好ましい。また、Ｘ’としては、公知の種々の蛍光性原子団を好ましく採用することが可能である。
【００２１】
一般式［ＩＶ］で表される構造のうち、感度の観点から、一般式［Ｖ］で示されるクマリン（ｃｏｕｍａｒｉｎ）誘導体が特に好ましい。
【００２２】
【化１４】
2004101389.tif 000008
（但し、式中、Ｘ’’は蛍光性原子団であって、式中に示されるベンゼン環と縮合する環であってもよく、式［Ｖ］中の環構造を構成する任意の１又は２以上の炭素原子に結合している各水素原子は、炭素数１〜６のアルキル基、炭素数１〜６のアルコキシル基、アミノ基、各アルキル基の炭素数１〜６のモノ−又はジアルキルアミノ、ハロゲン、又はニトロ基で置換されていてもよい）
【００２３】
一般式［Ｖ］で示される構造において、環を構成する炭素原子に結合している各水素原子は、上記の通り置換されていてもよい。もっとも、このような置換基は特に必要なものではないので、置換されていない構造が単純で好ましい。また、Ｘ’’としては、公知の種々の蛍光性原子団を好ましく採用することが可能である。
【００２４】
一般式［Ｖ］で表される構造のうち、好ましい例として、クマリン部分の縮合ベンゼン環がさらに縮合して合計３〜５個の縮合環構造となっている構造を挙げることができる。このような好ましい構造の例として、下記一般式［ＶＩ］又は［ＶＩＩ］で表される構造を有するものを挙げることができる。これらの構造を有するものは、測定時に特に高い蛍光強度を示し、モル吸光係数も高く、従って、さらに高感度な測定が可能になり、さらに励起光の波長を、公知のアルミニウム蛍光プローブよりも長波長側にすることができる。
【００２５】
【化１５】
2004101389.tif 000009
【００２６】
【化１６】
2004101389.tif 000010
【００２７】
但し、式［ＶＩ］及び式［ＶＩＩ］中、Ｒ３、Ｒ４、Ｒ５及びＲ６は、互いに独立に水素原子、炭素数１〜５のアルキル基又はハロゲンを示す。Ｒ３、Ｒ４、Ｒ５及びＲ６の全てが水素原子又は炭素数１〜５のアルキル基であるものが好ましい。
【００２８】
さらに、一般式［Ｖ］で示される構造のうち、吸収帯が長波長側にある、好ましい構造として、下記一般式［ＶＩＩＩ］で示される構造を挙げることができる。
【００２９】
【化１７】
2004101389.tif 000011
（但し、式中、Ｒ７、Ｒ８、Ｒ９、Ｒ１０及びＲ１１は、それぞれ独立に水素原子、炭素数１〜５のアルキル基、ハロゲン又は水酸基を示す）
【００３０】
さらに、一般式［Ｖ］で示される構造のうちの好ましい例として、一般式［Ｖ］中のＸ’’が、一般式［ＩＸ］
Ｘ’’’−Ｄ−　　［ＩＸ］
（式中、Ｘ’’’は、２〜４個の環を含む縮合環を有する蛍光性原子団、−Ｄ−は該蛍光性原子団と一般式［Ｖ］中に示されるベンゼン環とを結合する原子団を表す）
で表されるものを挙げることができる。ここで、Ｘ’’’の例としては、ローダミンやフルオレセインのような種々の公知の蛍光性原子団を採用することができる。また、−Ｄ−は、クマリン構造と蛍光性原子団とを結合しているだけの構造であるので、何ら限定されるものではなく、例えば炭素数１〜４の低級アルキレン基を挙げることができる。もっとも、親水性を高めるために、アミン、カルボニル基、チオカルボニル基、エーテル基等の極性基を含む構造が好ましく、例えば、−ＮＨ−Ｃ（＝Ｓ）−ＮＨ−のように、アミンと（チオ）カルボニル基のみから成る構造や、−ＮＨ−（ＣＨ２）１〜４−Ｏ−等を好ましい例として挙げることができるがこれに限定されるものではない。
【００３１】
一般式［ＩＸ］中のＸ’’’としては、下記一般式［Ｘ］で示されるものを好ましい例として挙げることができ、これらには周知の蛍光性原子団であるローダミンやフルオレセインが包含される。
【００３２】
【化１８】
2004101389.tif 000012
（但し、式［Ｘ］中、Ｒ１２は水素原子又はカルボキシル基、Ｒ１３及びＲ１４は、互いに独立に、水酸基、炭素数１〜６のアルキル基、又は各アルキル部分の炭素数が１〜６のジアルキルアミノ基（但し、窒素原子が、環を構成する炭素原子と二重結合して第四級アミンとなっていてもよい））
【００３３】
一般式［Ｘ］で示される蛍光性原子団を有する、一般式［Ｖ］で示される構造のうち、特に好ましいものとして、下記一般式［ＸＩ］で示されるものを挙げることができる。
2004101389.tif 000013
（但し、式中、Ｒ１５、Ｒ１６、Ｒ１７、Ｒ１８は互いに独立に、炭素数１〜６のアルキル基を表す）
【００３４】
さらに、一般式［Ｖ］で表される構造の好ましい例として、クマリン誘導体にアミンを結合した、下記一般式［ＸＩＩ］で示される構造を有するものを挙げることができる。
【００３５】
【化１９】
2004101389.tif 000014
（但し、式中、Ｒ１９及びＲ２０は、互いに独立に、水素、水酸基、ハロゲン、炭素数１〜６のアルキル基、炭素数１〜６のハロアルキル基、炭素数１〜６のアルコキシル基、炭素数１〜６のハロアルコキシル基、ベンジル基若しくはアセチル基、又は１個若しくは２個の単糖構造若しくはそのアシル化物を含む基である）。
【００３６】
式［ＸＩＩ］で表される構造のうち、前記１個若しくは２個の単糖構造若しくはそのアシル化物を含む基が、グリコシル基、グリコシド基、フラクトシル基、フラクトシド基若しくは式［ＸＩＩＩ］
【００３７】
【化２０】
2004101389.tif 000015
で示される基又はこれらの基の中の１ないし４個の水酸基が炭素数１ないし６のアシル基でアシル化された構造を含む基であるものが好ましい。
【００３８】
また、式［ＸＩＩ］における単糖構造が、炭素数１〜６のアルキル基又はアルコキシル基を介して式［ＸＩＩ］中の窒素原子に結合しているものが好ましい。
【００３９】
このような化合物の好ましい例として、下記式［ＸＩＶ］に示される化合物を挙げることができる。
【００４０】
【化２１】
2004101389.tif 000016
【００４１】
また、上記一般式［Ｖ］中のＸ’’が、上記一般式［ＩＸ］
Ｘ’’’−Ｄ−　　［ＩＸ］
で表される場合、一般式［ＩＸ］で表される基の好ましい例として、下記一般式［ＸＶ］で表されるものを挙げることができる。
【００４２】
【化２２】
2004101389.tif 000017
（ただし、式中、Ｒ２１は存在してもしなくてもよく、存在する場合には炭素数１〜５のアルキレン基；Ｒ２２は−ＮＨ−、−ＮＨ−ＣＯ−又は−ＯＣＯ−；Ｒ２３は水素原子、カルボキシル基又は−ＣＯＯＲ２８（ただし、Ｒ２８は１価の金属原子又は炭素数１〜５のアルキル基）；Ｒ２４及びＲ２５はそれぞれ独立に水素原子、炭素数１〜５のアルキル基又はハロゲン；Ｒ２６は水酸基、炭素数１〜５のアルキル基、又は各アルキル部分の炭素数が１〜５のジアルキルアミノ基；Ｒ２７と環を結合している−−−−は単結合又は二重結合を示し、これが単結合を示す場合には、Ｒ２７は水酸基、炭素数１〜５のアルキル基、又は各アルキル部分の炭素数が１〜５のジアルキルアミノ基、二重結合を示す場合にはカルボニル基又は＝Ｎ＋Ｒ２９Ｒ３０（但し、Ｒ２９及びＲ３０は互いに独立に炭素数１〜５のアルキル基）を示す）。なお、Ｒ２２が−ＮＨ−ＣＯ−又は−ＯＣＯ−である場合には、その方向（すなわち、−ＮＨ−ＣＯ−の場合には、−ＮＨ−が一般式［ＸＶ］において−ＣＯ−よりも上に来るのか下に来るのか、また、−ＯＣＯ−の場合には、−Ｏ−が一般式［ＸＶＩ］において−ＣＯ−よりも上に来るのか下に来るのか）は限定されず、両者とも包含される。
【００４３】
一般式［ＸＶ］で表される構造のうち、Ｒ２３が水素原子又はカルボキシル基、Ｒ２４及びＲ２５が水素原子、Ｒ２６がジアルキルアミノ基、Ｒ２７が二重結合により環に結合されたジアルキル第四級アミンであるものが好ましく、特には、Ｒ２１がメチレン基、Ｒ２２が−ＮＨ−、Ｒ２３、Ｒ２４及びＲ２５がいずれも水素原子、Ｒ２６がＮ（ＣＨ３）２、Ｒ２７が＝Ｎ＋（ＣＨ３）２であるものが好ましい。
【００４４】
本発明の蛍光プローブは、公知の手法に基づいて、容易に製造することができる。とりわけ、チアゾール基等の窒素含有複素環基を有するクマリン誘導体に公知の蛍光性原子団を結合すれば本発明の好ましい蛍光プローブを得ることができるので、本発明の蛍光プローブを合成することは、当業者にとって容易である。下記実施例にも、複数の蛍光プローブの合成方法の例が詳細に記載されている。
【００４５】
本発明の蛍光プローブは、検体に蛍光プローブを作用させ、励起光を当てて蛍光を測定するという、従来の蛍光プローブと全く同様な方法によって使用することができる。例えば、ジメチルスルフォキシド（ＤＭＳＯ）のような、極性有機溶媒に溶解したものを、緩衝液に加え、これを検体に加え（又は検体にこれを加え）てインキュベートし、励起光を当てて蛍光を測定することができる。極性有機溶媒中のプローブ濃度は、特に限定されないが、通常、０．１　ｍＭないし１０　ｍＭ程度、好ましくは、０．５　ｍＭないし２　ｍＭ程度であり、また、緩衝液に添加した後のプローブ濃度は、特に限定されないが、通常、１　μＭないし０．１　ｍＭ程度、好ましくは、５μＭないし２０μＭ程度である。インキュベーションの時間は、特に限定されず、検体に応じて適宜選択できるが、通常、５分間〜１時間程度でよい。また、インキュベーションの温度は、特に限定されず、各検体に適した温度が適宜選択できるが、通常、０℃〜４０℃程度であり、検体が細胞又は組織である場合には、その培養に適した温度（例えば、ヒト由来の細胞又は組織であれば３７℃）であることが好ましい。また、蛍光の測定は、市販の蛍光計を用いて行うこともできるし、細胞内のアルミニウムイオン又は第２鉄イオンの動態を調べる場合には、蛍光顕微鏡や共焦点レーザー走査蛍光顕微鏡を用いて観察することができる。このような測定方法自体は公知である。また、検体としては、特に限定されず、その中に含まれるアルミニウムイオン又は第２鉄イオンを測定しようとするいずれのものであってもよく、好ましい例として、各種細胞や組織を挙げることができる。検体が細胞又は組織である場合には、細胞又は組織の培養液を、上記した蛍光プローブ溶液に置換し、上記のようにインキュベートし、蛍光を測定することができる。
【００４６】
本発明の蛍光プローブを用いることにより、アルミニウムイオン及び第２鉄イオンを測定することができる。本発明の蛍光プローブを用いた場合、アルミニウムイオンと第２鉄イオンとの識別は困難であるが、これらの両者を同時に測定（定量の場合には合計量を定量する）ことができる。なお、試料中に一方のイオンが含まれないことがわかっている場合には、他方のイオン測定用の蛍光プローブとして用いることができる。すなわち、第２鉄イオンが実質的に含まれないことがわかっている試料に対して用いる場合には、アルミニウムイオン測定用プローブとして用いることができる。従って、本発明の蛍光プローブは、例えば、近年、アルツハイマー病との関連が注目されている、脳細胞中のアルミニウム濃度の測定等に適用することができる。
【００４７】
【実施例】
以下、本発明を実施例に基づきより具体的に説明する。もっとも、本発明は下記実施例に限定されるものではない。
【００４８】
実施例１　　蛍光プローブＫＡＬ−２（式［ＸＶＩ］）の製造
【化２３】
2004101389.tif 000018
【００４９】
本実施例で合成した各化合物の合成経路を下記Ｓｃｈｅｍｅ１〜３に示す。使用した試薬は市販品の特級若しくは手に入る最高純度のものを使用した。また、実験に用いた溶媒は、すべて特級を使用した。
【００５０】
化合物の精製にはシリカゲルクロマトグラフィー、高速液体クロマトグラフィー（ＨＰＬＣ）を使用し、化合物の同定には薄層クロマトグラフィー（ＴＬＣ）、ＥＳＩ−ＭＳ、及び１Ｈ−ＮＭＲを使用した。
【００５１】
カラムクロマトグラフィー
固定相にはＭｅｒｃｋ社製シリカゲル６０を用いた。移動相には一級相当のｎ−ヘキサン、酢酸エチル、クロロホルム、メタノール、アセトンを用いた。
【００５２】
分取用薄層クロマトグラフィー
固定相にはＭｅｒｃｋ社製ＴＬＣ　ｐｌａｔｅｓ　ｓｉｌｉｃａ　ｇｅｌ　６０　Ｆ２４５　ｗｉｔｈ　ｃｏｎｃｅｎｔｒａｔｉｎｇ　ｚｏｎｅを用いた。移動相には一級相当のｎ−ヘキサン、酢酸エチル、クロロホルムを用いた。
【００５３】
リサイクル分取高速液体クロマトグラフィー（ＯＤＳ）
Ｊａｐａｎ　ａｎａｌｙｔｉｃａｌ　ｉｎｄｕｓｔｒｙ社製のＲｅｃｙｃｌｉｎｇ　ｐｒｅｐａｒａｔｉｖｅ　ＬＣ−９１８を用いた。カラムにはＯＤＳを用いた。移動相にはＨＰＬＣ用のメタノールを用いた。
【００５４】
リサイクル分取高速液体クロマトグラフィー（ＧＰＣ）
Ｊａｐａｎ　ａｎａｌｙｔｉｃａｌ　ｉｎｄｕｓｔｒｙ社製のＲｅｃｙｃｌｉｎｇ　ｐｒｅｐａｒａｔｉｖｅ　ＬＣ−９１８を用いた。カラムにはＧＰＣを用いた。移動相には特級のクロロホルムを用いた。
【００５５】
薄層クロマトグラフィー（ＴＬＣ）
Ｍｅｒｃｋ　ｐｌａｔｅ（Ｓｉｌｉｃａ　ｇｅｌ，ｋｉｅｓｅｌｇｅｌ　６０Ｆ−２５４，０．２５ｍｍ）を使用した。化合物の検出は、ヨウ素及びＵＶ吸収（２５７　ｎｍ，　３６５　ｎｍ）によって行った。
【００５６】
ＥＳＩ−ＭＳ
Ａｐｐｌｉｅｄ　Ｂｉｏｓｙｓｔｅｍｓ社のＭａｒｉｎｅｒ　Ｂｉｏｓｐｅｃｔｒｏｍｅｔｒｙ　Ｗｏｒｋｓｔａｔｉｏｎを使用した。
【００５７】
１Ｈ−ＮＭＲ
ＪＥＯＬ　ＪＮＭ−ＬＡ３００　（３００ＭＨｚ）を使用した。溶媒は重クロロホルム（ＣＤＣｌ３）を使用し、内部標準試料としてテトラメチルシラン（ＴＭＳ）を使用した。又、シグナルの略号を以下に示す。
ｓ；ｓｉｎｇｌｅｔ，　ｄ；ｄｏｕｂｌｅｔ，　ｔ；ｔｒｉｐｌｅｔ，　ｄｄ；ｄｏｕｂｌｅｔ　ｏｆ　ｄｏｕｂｌｅｔ，　ｑ；ｑｕａｒｔｅｔ，　ｍ；ｍｕｌｔｉｐｌｅｔ
【００５８】
【化２４】
2004101389.tif 000019
【００５９】
５−ブロモ−２−ヒドロキシ−ベンズアルデヒド１．００ｇ　（４．９７ｍｍｏｌ，１．０ｅｑ）とヒドロキシルアミンヒドロクロリド０．７０ｇ　（１０．０７ｍｍｏｌ，２．０ｅｑ）を酢酸２００ｍｌに溶解し、１２５℃で２４時間還流した。反応溶液を濃縮後、水−クロロホルム系で３回分液抽出した。有機層を濃縮後、残渣をシリカゲルクロマトグラフィー（展開溶媒：クロロホルム／酢酸エチル＝９／１）で分離し、白色固体化合物１（０．５８ｇ、収率５７．７％）を得た。
【００６０】
ＴＬＣ　（シリカゲル、クロロホルム／酢酸エチル＝９／１）　Ｒｆ＝０．２８
１Ｈ−ＮＭＲ　（３００ＭＨｚ、ＣＤＣｌ３、ＴＭＳ、ｒ．ｔ．）
δ＝　６．１７　（ｓ　，　１Ｈ）　，　６．８８　（ｄ　，　１Ｈ）　，　７．５９　（ｄ　，　２Ｈ）
【００６１】
【化２５】
2004101389.tif 000020
【００６２】
化合物１　　０．５００ｇ（２．５０ｍｍｏｌ，１ｅｑ）とトリエチルアミン０．５００　ｇ　（５．００ｍｍｏｌ，２ｅｑ）を１０ｍｌエタノールに溶解し室温で３０分間撹拌した。その後、氷冷下で２−アミノエタンチオールヒドロクロリド０．２８４　ｇ　（２．５０　ｍｍｏｌ，１ｅｑ）を滴下し、８５℃で２４時間還流した。反応溶液を冷却後、水を１０ｍｌ加え濃縮し、飽和食塩水−クロロホルム系で３回分液抽出した。有機層を濃縮後、残渣をシリカゲルクロマトグラフィー（展開溶媒：クロロホルム）で分離し、褐色の固体化合物２（０．５０７ｇ、収率７８％）を得た。
【００６３】
ＴＬＣ　（Ｓｉｌｉｃａ　ｇｅｌ，　クロロホルム）　Ｒｆ＝０．７０
１Ｈ−ＮＭＲ　（３００ＭＨｚ、ＣＤＣｌ３、ＴＭＳ、ｒ．ｔ．）
δ＝　３．３８　（ｔ　，　２Ｈ）　，　４．４８　（ｔ　，　２Ｈ）　，　６．９０　（ｄ　，　１Ｈ）　，　７．４０　（ｄ　，　１Ｈ）　，　７．５０　（ｓ　，　１Ｈ）
【００６４】
【化２６】
2004101389.tif 000021
【００６５】
クマリン３３７　０．５０ｇ（１．８７ｍｍｏｌ，１ｅｑ）とトリエチルアミン０．５６３ｇ　（５．６１ｍｍｏｌ，３ｅｑ）を１００ｍｌエタノールに溶解し室温で３０分間撹拌した。その後、氷冷下で２−アミノエタンチオールヒドロクロリド０．３１８　ｇ　（　２．８０５ｍｍｏｌ，１．５ｅｑ）を滴下し、８５℃で２４時間還流した。反応溶液を冷却後、水を１００ｍｌ加え濃縮し、飽和食塩水−クロロホルム系で３回分液抽出した。有機層を濃縮後、残渣をシリカゲルクロマトグラフィー（展開溶媒：クロロホルム／メタノール＝５０／１）で分離し、黄色の固体化合物３（ＫＡＬ−２）（０．２５６ｇ、収率４２％）を得た。
【００６６】
ＴＬＣ　（シリカゲル，　クロロホルム／エタノール＝５０／１）　Ｒｆ＝０．４０
１Ｈ−ＮＭＲ　（３００ＭＨｚ、ＣＤＣｌ３、ＴＭＳ、ｒ．ｔ．）
δ＝　１．９５　（ｍ　，　４Ｈ）　，　２．７５　（ｔ　，　２Ｈ）　，　２．８５　（ｔ　，　２Ｈ）　，　３．３５　（ｍ　，　６Ｈ）　，　４．３５　（ｔ　，　２Ｈ），　６．９０　（ｓ　，　１Ｈ）　，　８．２５　（ｓ　，　１Ｈ）
【００６７】
実施例２
実施例１におけるＳｃｈｅｍｅ　３において、２−アミノエタンチオールヒドロクロリドに代えて、１−アミノ−２−ヒドロキシエタン（ＯＨ−ＣＨ２−ＣＨ２−ＮＨ２）を用いることを除き、実施例１と同様な操作を行い、下記構造を有する化合物４を得た。
【００６８】
【化２７】
2004101389.tif 000022
【００６９】
１Ｈ−ＮＭＲ　（３００ＭＨｚ、ＣＤＣｌ３、ＴＭＳ、ｒ．ｔ．）
δ＝　１．９４（ｍ，４Ｈ），　２．７５（ｔ，４Ｈ，６Ｈｚ），　２．８８（ｔ，４Ｈ，６Ｈｚ），　３．３２（ｔ，４Ｈ，８Ｈｚ），　４．１１（ｔ，２Ｈ，９Ｈｚ），　４．３５（ｔ，２Ｈ，９Ｈｚ），　６．８８（ｓ，１Ｈ），　８．１５（ｓ，１Ｈ）
【００７０】
実施例３
実施例１で作製した本発明の蛍光プローブであるＫＡＬ−２の蛍光特性を調べた。測定条件は次の通りであった。
【００７１】
2004101389.tif 000023
【００７２】
２）結果
ｉ）　吸収スペクトル変化
Ａｌ３＋濃度を０（Ｆｒｅｅ）〜１０−３Ｍまで変化させ、吸収スペクトル変化を観測したところ、Ａｌ３＋濃度が８×１０−６〜１０−５Ｍの範囲において吸光度は０．１７９から０．３０５へと約１．７倍程大幅に増加した。さらにλｍａｘも長波長側４４５ｎｍから４９８ｎｍへと長波長側に大きくシフトした（図１）。同様な条件でＦｅ３＋、Ｚｎ２＋、Ｍｇ２＋、Ｎａ＋についても測定したところ、Ｆｅ３＋、Ｚｎ２＋に関してはスペクトルに変化が見られた。特にＦｅ３＋を添加した場合は、ほぼＡｌ添加のときと同じような非常に顕著なスペクトル変化を示した。
【００７３】
ｉｉ）蛍光スペクトル変化
次に、吸収スペクトルから得られた極大吸収波長である４９８ｎｍで励起し、その蛍光スペクトル変化を観測したところ、Ａｌ３＋濃度が５×１０−６〜３×１０−５Ｍの範囲において、蛍光強度は大幅に増加した（図２）。最大発光波長は５３２ｎｍであった。吸収スペクトル変化のときと同様に、Ｆｅ３＋とＺｎ２＋添加時にはスペクトルに変化が見られたが、Ｚｎ２＋添加時の変化は、Ａｌ３＋やＦｅ３＋添加時ほど大きな変化ではなかった。
【００７４】
ｉｉｉ）高感度検出
ＫＡＬ−２濃度を１０−７Ｍまで１００倍下げて、Ａｌ応答を観測したところ、Ａｌ濃度が１０−６Ｍ〜３　ｘ　１０−６Ｍの範囲において蛍光強度に大幅な増加が見られた（図３）。
【００７５】
ｉｖ）　他イオンに対する応答
上記方法により、アルミニウム以外の他の金属イオンに対する応答を調べた。結果を下記表１に示す。
【００７６】
【表１】
2004101389.tif 000024
【００７７】
比較例１
公知のアルミニウムプローブである上記ＫＡＬ−１の蛍光特性について、実施例３と同様にして測定した。結果を実施例１で作製したＫＡＬ−２と比較して下記表２に示す。
【００７８】
【表２】
表２
2004101389.tif 000025
【００７９】
表２に示す結果から、本発明の蛍光プローブであるＫＡＬ−２は、公知のアルミニウムイオン測定用蛍光プローブであるＫＡＬ−１よりも以下の点で優れていることがわかる。
▲１▼　モル吸光係数の増大　４０２０→１７９００
▲２▼　長波長化　λｍａｘ　３２３ｎｍ→４４５ｍ
▲３▼　蛍光強度の著しい増大　９６→４９００
▲４▼　応答濃度範囲の低濃度化（錯形成能の増加）
【００８０】
生体内への応用を考えた場合、励起波長が可視部にあることで細胞やタンパクへのダージが軽減、ａｕｔｏ　ｆｌｕｏｒｅｓｃｅｎｃｅの回避など非常に有利である。またモル吸光係数の増大、蛍光強度の著しい増大によって、プローブの濃度を非常に低くしても蛍光検出が可能であるため、生体において有害物質として認識される可能性が低い。応答範囲に関しても、ＫＡＬ−１と比べて１０〜１００倍程度応答するイオン濃度範囲が低い。生体内におけるＡｌイオン濃度は非常に低濃度であり（１０−７Ｍ〜１０−６Ｍ）、Ａｌとの錯形成は非常に強いものが要求される。その点においてもＫＡＬ−２はＫＡＬ−１と比べて優れていると言える。
【００８１】
実施例４、比較例２
実施例１で作製したＫＡＬ−２と、現在市販されているルモガリオンの蛍光特性を同一条件下で測定し、その性能を評価した。
【００８２】
１）測定条件
溶媒：ＣＨ３ＣＯＯＨ−ＣＨ３ＣＯＯＮＨ４　１．０　ｍＭ　ｂｕｆｆｅｒ　（ｐＨ５．０）
プローブ濃度：１０−５Ｍ
イオン濃度：０（ｆｒｅｅ）、１０−６〜１０−４Ｍ
金属塩：Ａｌ（ＣｌＯ４）３・９Ｈ２Ｏ、ＣｕＣｌ２、ＦｅＣｌ３、ＦｅＣｌ２、ＺｎＣｌ２、ＭｇＣｌ２、ＮａＣｌ
励起波長：それぞれの極大吸収波長
蛍光測定器：ｍｏｌｅｃｕｌａｒ　ｄｅｖｉｃｅｓ　社製　マイクロプレートリーダー
【００８３】
２）　結果
ｉ）吸収スペクトル変化
ＣＨ３ＣＯＯＨ−ＣＨ３ＣＯＯＮＨ４　０．００１Ｍ　ｂｕｆｆｅｒ　（ｐＨ５．０）中でＫＡＬ−２のＡｌ３＋、Ｃｕ２＋、Ｆｅ２＋、Ｆｅ３＋、Ｚｎ２＋、Ｍｇ２＋、Ｎａ＋濃度変化に対する吸収スペクトル変化を観測したところ、Ａｌ３＋、Ｆｅ３＋を添加したにスペクトルに顕著な変化が見らた。またＦｅ２＋、Ｚｎ２＋を添加したときにもわずかではあるがスペクトル変化が見られた。Ａｌ３＋を加えたときには吸光度が約１．５倍上昇した。これに対し、ルモガリオンでは、Ａｌ３＋、Ｆｅ３＋のみならずＣｕ２＋を添加した場合にも顕著なスペクトル変化が見られた。
【００８４】
ｉｉ）蛍光スペクトル変化
ＫＡＬ−２では、吸収スペクトルで得られたλｍａｘで励起し、Ａｌ３＋、Ｃｕ２＋、Ｆｅ２＋、Ｆｅ３＋、Ｚｎ２＋、Ｍｇ２＋、Ｎａ＋を加えていったときの蛍光スペクトル変化を観測したところ、Ａｌ３＋、Ｆｅ３＋を添加したときのみに顕著なスペクトル変化が見られた。Ａｌ３＋を添加したときには、最大蛍光強度が１７０００から２５０００へ約１．４倍ほど増加した（図４）。一方、ルモガリオンでは、Ａｌ３＋を添加したときには、最大蛍光強度が約１０倍程度に増加したが、蛍光強度自体がＫＡＬ−２に比べてはるかに低かった。
【００８５】
ｉｉｉ）相対蛍光強度比較
Ａｌ３＋濃度が飽和の場合、ルモガリオンと比べてＫＡＬ−２の方が７．８倍ほど蛍光強度が強かった（図５）。
【００８６】
両者の各イオンに対する応答を下記表３にまとめて示す。
【００８７】
【表３】
表３
2004101389.tif 000026
◎：もっともスペクトル変化が大きかったもの
○：スペクトル変化がみられたもの
△：誤差範囲を超えたスペクトル応答を示したもの
【００８８】
上記の結果からわかるように、Ｃｕ２＋に対してはルモガリオンが非常に強い錯体を形成するのに対して、ＫＡＬ−２の場合はほぼスペクトル変化がなく、Ｃｕ２＋との結合能が弱いと言える。このことから、Ｃｕ２＋に対するＡｌ３＋選択性はルモガリオンよりもＫＡＬ−２の方が優れていると考えられる。また同条件下（Ａｌ３＋飽和状態）で測定した蛍光強度は（図５）はＫＡＬ−２：９２５０に対して、ルモガリオン：１１９０となり、相対的にＫＡＬ−２の方が７．８倍程度、蛍光強度が強かった。蛍光強度が強いことは、生体内応用等の際に非常に有利に働く。
【００８９】
【発明の効果】
３価のアルミニウムイオン及び第二鉄イオンに対して高く、かつ、選択的な錯形成能を有し、高い測定感度が得られるアルミニウムイオン及び／又は第二鉄イオン測定用蛍光プローブが提供された。本発明の蛍光プローブは、アルミニウムイオン及び第二鉄イオンを強力に、選択的にキレート化し、キレート化前後の蛍光スペクトルの変化も大きいので、これらのイオンを高感度に測定することができる。また、好ましい蛍光性原子団を採用することにより、励起光の波長を公知のアルミニウムイオン測定用蛍光プローブよりも長波長側にシフトさせることができる。
【図面の簡単な説明】
【図１】実施例１で作製した本発明の蛍光プローブＫＡＬ−２の各種濃度のＡｌ３＋存在下における吸収スペクトルを示す。
【図２】本発明の蛍光プローブＫＡＬ−２の各種濃度のＡｌ３＋存在下における蛍光スペクトルを示す（励起波長４９８ｎｍ）。
【図３】本発明の蛍光プローブＫＡＬ−２の、図１よりも低濃度の各種濃度のＡｌ３＋存在下における吸収スペクトルを示す（励起波長４９８ｎｍ）。
【図４】本発明の蛍光プローブＫＡＬ−２の、図２及び図３とは異なる条件下で測定した、各種濃度のＡｌ３＋存在下における蛍光スペクトルを示す（励起波長４９８ｎｍ）。
【図５】本発明の蛍光プローブＫＡＬ−２と公知のアルミニウムイオン測定用蛍光プローブであるルモガリオンの蛍光スペクトルを比較して示す。
【図１】
2004101389.tif 000036
【図２】
2004101389.tif 000037
【図３】
2004101389.tif 000038
【図４】
2004101389.tif 000039
【図５】
2004101389.tif 000040